(57)【要約】【課題】多種の電子カードを同時に格納でき、電子カードを挿入して接続することを確実にする信頼できる電子カードコネクタを提供する。【解決手段】本発明の電子カードコネクタは、シールドハウジングと、絶縁本体と、絶縁本体内に設置されたイジェクト機構と、少なくとも３つの異なるタイプのうちの１つのタイプの電子カードを格納できる収容空間とを備えている。イジェクト機構は、突起リブを設けたスライダと、スライダに設置され、かつ異なるタイプの電子カードを挿入或いは排出する時に抵接する第１及び第２抵接部とを含んでいる。さらに、シールドハウジングに突起リブがスライドするためのスロットを設ける。該電子カードコネクタは、１つのイジェクト機構を介して、多種の異なるタイプの電子カードを排出できる。かつ電子カードが挿入される時に、スライダがずれて、電子カードを挿入できない恐れを回避できる。【選択図】図１
2004103574.tif 000002
【特許請求の範囲】
【請求項１】
　少なくとも３つの異なるタイプのうちの１つのタイプの電子カードを格納できる収容空間が設置された絶縁本体と、
　前記絶縁本体に組設された導電性端子と、
　前記絶縁本体の上表面を被覆して、頂壁と、頂壁に設置されたスロットを含むシールドハウジングと、
　スライダと、スライダに設置され、かつ異なるタイプの電子カードを挿入或いは排出する時に抵接する第１及び第２抵接部と、シルードハウジングのスロットと結合する突起リブとを含むイジェクト機構と、
　を備えることを特徴とする電子カードコネクタ。
【請求項２】
　前記導電性端子は、絶縁本体の後壁に設置された複数の第１導電性端子と、第１導電性端子と所定の間隔があけられた複数の第２導電性端子とを含むことを特徴とする請求項１に記載の電子カードコネクタ。
【請求項３】
　前記イジェクト機構のスライダは、略Ｌ状であり、第１導電性端子と第２導電性端子の間に設けられていることを特徴とする請求項２に記載の電子カードコネクタ。
【請求項４】
　前記イジェクト機構のスライダに、電子カードを挿入した後の排出間違いを防止するラッチ端子が設置されていることを特徴とする請求項１に記載の電子カードコネクタ。
【請求項５】
　前記シールドハウジングに、電子カードを挿入した後の排出間違いを防止するスプリングシートが設けられていることを特徴とする請求項１に記載の電子カードコネクタ。
【発明の詳細な説明】
【技術分野】
【０００１】
　本発明は電子カードコネクタに関し、特に、多種の電子カードを受け入れることができる電子カードコネクタに関するものである。
【背景技術】
【０００２】
　従来、携帯電話、PDA及びディジタルカメラなどの電気装置は、例外なく各種の電子カードを格納していた。例えば、SD(Super Density, Secure Digital)カード、MMC(Multimedia Card)カード及びMemory Stickカードなどのカードである。機能を拡大するために、前記電気装置は、異なる要求に対応して、異なるタイプの電子カードを受け入れる。それ故に、それらの電気装置に設けられた電子カードコネクタは同時に多種のカードを格納しなければならない。
【０００３】
　台湾特許第４９５１１０号明細書は、メモリカードの共用ベースを開示している。該共用ベースは、ベース及びカバーを含む。該ベース及び（或いは）カバーにメモリカードの接続部と結合する導通部を設けている。ベースに２つのだれ部を設け、かつより狭い部分を1つのだれ部に設けている。カバーにスロット及び複数の高い部分を設けている。したがって、共用ベース内に異なるタイプ(different type)の電気カードを格納する第１、第２、第３及び第４収容空間を形成している。しかし、該カード用コネクタは、多くの収容空間を設置しているので、厚さが大きい。
【０００４】
　米国特許公開第２００２／００２５７２６Ａ１号明細書における電子カードコネクタは、ボディ部及びボディ部の上層と下層にある電子カード収容空間を含んでいる。該電子カードコネクタには、同時に２つのタイプの電子カードを格納できるが、該電子カードコネクタの厚さが大きいので、今日の電気装置の軽薄短小の発展傾向に適さない。
【特許文献１】台湾特許第４９５１１０号明細書
【特許文献２】米国特許公開第２００２／００２５７２６Ａ１号明細書
【発明の開示】
【発明が解決しようとする課題】
【０００５】
本発明は、多種の電子カードを同時に格納でき、電子カードを挿入して接続することを確実にする信頼できる電子カードコネクタを提供することを目的とする。
【課題を解決するための手段】
【０００６】
　前記の目的を達成するために、本発明の電子カードコネクタは、シールドハウジングと、絶縁本体と、絶縁本体内に設置されたイジェクト機構と、少なくとも３つの異なるタイプ(different type)のうちの１つのタイプの電子カードを格納できる収容空間とを備える。前記イジェクト機構は、スライダと、スライダに設置され、かつ異なるタイプ(different type)の電子カードを挿入或いは排出する時に抵接する第１及び第２抵接部とを含む。さらに、スライダに突起リブを設け、シールドハウジングに突起リブがスライドするためのスロットを設ける。そのような配置のため、該電子カードコネクタは１つのイジェクト機構を介して、多種の異なるタイプ(different type)の電子カードを排出できる。かつ電子カードが挿入される時、スライダが側方向へずれるため、電子カードを挿入できない恐れが回避できる。
【発明を実施するための最良の形態】
【０００７】
　図１、図２及び図３に示すように、本発明の電子カードコネクタ１は、シルードハウジング２と、絶縁本体３と、絶縁本体３の１つの側に設置されたイジェクト機構４と、絶縁本体３内に設置された複数の第１導電性端子５及び複数の第２導電性端子６と、スイッチ端子グループ７とを備える。
【０００８】
　シルードハウジング２は、頂壁２１と、頂壁２１の２つの側辺から下へ延設された複数の干渉部２２、２６と、係止シート２３及び頂壁２１の後側辺から下へ延設された係止シート２４と、頂壁２１の１つの側に設置されたスロット２１１と、対向する側辺から延設されたスプリングシート２７と、を含む。係止シート２３、２４には、それぞれに係止孔２３２、２４１が設けられている。かつ係止シート２３の自由端は、垂直に曲げられて、溶接部２３１を形成している。該溶接部２３１は、外部の電気装置の回路基板（図示せず）に溶接される。スプリングシート２７は、頂壁２１の１つの側から延設されているとともに、スプリングシート２７の自由端には、ラッチ部（図示せず）が設置されている。
【０００９】
　絶縁本体３は、後壁３１と、後壁３１の２つの端部から前へ延設された第１側壁３２及び第２側壁３３と、後壁３１、第１側壁３２、第２側壁３３で囲まれていて、多種の異なるタイプ(different type)の電子カードを収容するための収容空間３４とを含む。後壁３１の前の表面の第２側壁３３と隣接する側に、位置決めポスト３１１が設置されている。後壁３１の後の表面に設けられた突起３１２は、シルードハウジング２に設置された係止シート２４の係止孔２４１と対応して係止される。複数の第１導電性端子５を係止して収容するための複数の溝付（図示せず）は、後壁３１に設置されている。第１側壁３２に、シールドハウジング２の干渉部２２と干渉して結合するカードスロット３２１が開設され、係止シート２３の係止孔２３２と結合する係止塊（図示せず）が設置され、シルードハウジング２のスプリングシート２７を収容するための収容グルーブ３２２が設置されている。スプリングシート２７のラッチ部は、絶縁本体３の収容空間３４内へ延伸している。第１側壁３２の自由端に、収容空間３４と接続している第１ガイド溝３２３が開設されている。第２側壁３３に、シルードハウジング２の干渉部２２を収容するためのカードスロット３３１が開設され、シールドハウジング２に設置された係止シート２３の係止孔２３２と係止する係止塊３３２が設けられている。第２側壁３３の自由端に、収容空間３４と接続している第２ガイド溝３３３が開設されている。該第２ガイド溝３３３と第１ガイド溝３２３は、ある電子カード（図示せず）が外部から収容空間内へガイドされて挿入されることに用いられる。前記複数の第２導電性端子６は、絶縁本体３の第１側壁３２と第２側壁３３の間に収容されている。
【００１０】
　イジェクト機構４は、絶縁本体３の第２側壁３３に隣接して設置され、スライダ４１と、バネ４２と、スライドバー４３と、ラッチ端子４４とを含んでいる。スライダ４１は、略Ｌ状のボディ部４１０と、ボディ部４１０の上表面に設けられた條状突起リブ４１１と、ボディ部４１０の１つの端部に設けられた第１抵接部と、対向の他の端部のボディ部４１０と垂直な第２抵接部と、を備えている。前記突起リブ４１１がシルードハウジング２のスロット２１１内でスライドすることによって、突起リブ４１１のスライド距離は制限される。バネ４２の１つの端部は、スライダ４１のボディ部４１０の後端部の開口（図示せず）内に収容されている。対向するほかの端部は、絶縁本体３の位置決めポスト３１１に位置決めされている。スライドバー４３の２つの端部それぞれがスライダ４１の側辺に設けられたラッチグルーブ（図示せず）内に係止されることによって、挿入した電子カードの位置決めと排出の効果が得られる。ラッチ端子４４は、絶縁本体３の第２側壁３３内に設置されている。該ラッチ端子４４の自由端は、折れ曲ってから絶縁本体３の収容空間３４内に延伸するラッチ部（図示せず）を含んでいる。該ラッチ部は、電子カードの挿入後の排出間違いを防止することに用いられる。スイッチ端子グループ７は、絶縁本体３の第２側壁３３の自由端の外側に設置されている。
【００１１】
　電子カードコネクタ１は、回路基板上に組立てられる。電子カード（図示せず）を挿入しない場合には、スライダ４１の突起リブ４１１の前端部は、シールドハウジング２のスロット２１１の前端部と抵接する。１つのタイプの電子カードを挿入する場合には、セキュリティーディジタルカード（Secure Digital Card, SD）或いはマルチカード（Multimedia Card, MMC）を例とすると、該電子カードは、第１側壁３２と第２側壁３３の第１ガイド溝３２３と第２ガイド溝３３３に沿って収容空間３４内に挿入される。スライダ４１が絶縁本体３の後壁３１に向かってスライドするように、前記電子カードの前端部は、イジェクト機構４のスライダ４１の第１抵接部４１２と抵接する。スライダ４１の突起リブ４１１がシールドハウジング２のスロット２１１の後端部と抵接すると、イジェクト機構４のスライドバー４３はスライダ４１のラッチグルーブ（図示せず）の係止位置に停止し、シールドハウジング２のスプリングシート２７のラッチ部は前記電子カードの相応する切欠き内に係合し、したがって、電子カードは前記収容空間３４内に位置決めされることができるとともに、該電子カードは位置決めされた位置からの排出間違いを防止でき、第２導電性端子６と電子カードの接続部とを電気的に接続することによって、電気信号を伝送できる。カードを排出する場合には、カードを挿入する方向に沿って推し進めることによって、イジェクト機構４のスライドバー４３がラッチグルーブの係止位置からスライドして離れ、第１抵接部４１２は電子カードの後縁を推して、それから電子カードは係止位置から排出される。
【００１２】
　他のタイプの電子カードを挿入する場合には、記憶バーカード（Memory Stick）を例とすると、該電子カードは第１側壁３２と第２側壁３３の内壁に沿って収容空間３４内に挿入される。スライダ４１が絶縁本体３の後壁３１に向かってスライドするように、前記電子カードの前端部は、イジェクト機構４のスライダ４１の第２抵接部４１３と抵接する。スライダ４１の突起リブ４１１がシールドハウジング２のスロット２１１の後端部と抵接すると、イジェクト機構４のスライドバー４３はスライダ４１のラッチグルーブ（図示せず）の係止位置に停止し、イジェクト機構４のラッチ端子４４のラッチ部は前記電子カードの相応する切欠き内に係合し、したがって、電子カードは前記収容空間３４内に位置決めされることができるとともに、該電子カードは位置決めされた位置からの排出間違いを防止でき、第１導電性端子５と電子カードの接続部とを電気的に接続することによって、電気信号を伝送できる。カードを排出する場合には、カードを挿入する方向に沿って推し進めることによって、イジェクト機構４のスライドバー４３がラッチグルーブの係止位置からスライドして離れ、第２抵接部４１３は電子カードの後縁を推して、それから電子カードは係止位置から排出される。
【００１３】
　従来の技術と比べて、本発明は、スライダ４１の第１抵接部４１２と第２抵接部４１３それぞれが異なるタイプの電子カードと抵接することを介して、各タイプの電子カードを自動的に排出できる。そのほかに、スライダ４１の突起リブ４１１がシールドハウジング２のスロット２１１と結合することを介して、電子カードを挿入して接続する時、スライダ４１は電子カードを挿入する方向に沿って移動する。特に、電子カードが第１抵接部４１２と抵接する場合に、スロット２１１と突起リブ４１１との結合を介して、電子カードを挿入する時、スライダ４１が収容空間３４内へずれて、電子カードを挿入できない恐れを防止する。
【００１４】
　総じて、本発明の多数の特徴及び長所など、その構造及び機能が共に前述の記載により掲げられている。また前記の説明は、本発明に基づきなしうる細部の修正或いは変更などが、いずれも本発明の請求範囲に属するものとする。
【図面の簡単な説明】
【００１５】
【図１】本発明における電子カードコネクタの分解斜視図である。
【図２】本発明における電子カードコネクタの局部の組合せ図である。
【図３】本発明における電子カードコネクタの組合せ斜視図である。
【符号の説明】
【００１６】
　１　電子カードコネクタ
　２　シルードハウジング
　３　絶縁本体
　４　イジェクト機構
　５　第１導電性端子
　６　第２導電性端子
　７　スイッチ端子グループ
　２１　頂壁
　２１１　スロット
　２２、２６　干渉部
　２３、２４　係止シート
　２３１　溶接部
　２３２、２４１　係止孔
　２７　スプリングシート
　３１　後壁
　３１１　位置決めポスト
　３１２　突起
　３２　第１側壁
　３２１　カードスロット
　３２２　収容グルーブ
　３２３　第１ガイド溝
　３３　第２側壁
　３３１　カードスロット
　３３２　係止塊
　３３３　第２ガイド溝
　３４　収容空間
　４１　スライダ
　４１０　ボディ部
　４１１　突起リブ
　４１２　第１抵接部
　４１３　第２抵接部
　４２　バネ
　４３　スライドバー
　４４　ラッチ端子
【図１】
2004103574.tif 000003
【図２】
2004103574.tif 000004
【図３】
2004103574.tif 000005